(57)【要約】  メモリと基地局に接続された送信機および受信機とを含む移動通信端末に具備さるデジタルカメラを用いて取得したデジタル画像を、画像が撮影された地理的ロケーションの情報を含む説明的なファイル名を付して提供および記憶する方法である。この方法は、画像撮影時に移動通信端末から基地局へトリガ信号を送信して、ロケーション情報の要求を開始することによって達成される。移動通信端末のロケーションに基づいて、地図サーバから取得した関連する地理的ロケーションが、移動通信端末のユーザに提案として示される。移動通信端末のユーザがロケーションを選択すると、選択されたロケーション名を含むファイル名が画像に提供される。すると画像は説明的なファイル名を付して記憶される。
2008512933.tif 000002
【特許請求の範囲】
【請求項１】
移動通信端末に具備されるデジタルカメラを用いて取得されたデジタル画像を、画像が撮影された地理的位置を示す情報を含む説明的なファイル名を付して記憶する方法であって、前記移動通信端末は、メモリと、通信網を介して位置確認サービスにアクセスするための送信機および受信機とを備え、前記方法が、
ａ）該通信端末が、該位置確認サービスからのロケーション情報を要求するステップと、
ｂ）該通信端末が、該移動通信端末のロケーションに基づくロケーション情報を、該位置確認サービスから受信するステップと、
ｃ）該通信端末が画像を取得するステップと、
ｄ）該通信端末が、前記ロケーション情報に基づいてファイル名を作成するステップと、
ｅ）前記ファイル名が該画像に割当てられるステップと、
ｆ）前記画像が、前記ファイル名を付して該通信端末に記憶されるステップと、
を含む、方法。
【請求項２】
前記通信端末が入力装置と表示装置を備え、ステップｄ）は、少なくとも１つの一時的ファイル名を作成することと、前記少なくとも１つの一時的ファイル名を前記表示装置を介してユーザに提示することと、前記入力装置から入力を受信することと、前記ロケーション情報と前記入力に基づいて前記ファイル名を作成することとを含む、請求項１に記載の方法。
【請求項３】
ｇ）画像撮影のロケーションを関連する地域の地図と組み合わせることにより、ユーザが、地図をナビゲートおよびクリックすることによって画像にアクセスできるようにするステップ、をさらに含む、請求項１または２に記載の方法。
【請求項４】
ｈ）ＲＦＩＤタグから付加的なロケーション情報を受信して、ロケーション決定の精度を高め、かつ撮影された対象物についての付加情報を受信するステップ、
をさらに含む、請求項１〜３のいずれかに記載の方法。
【請求項５】
前記移動通信端末において、前記画像と共に前記付加情報を記憶することを含む、請求項４に記載の方法。
【請求項６】
カメラと、表示部と、メモリと、入力装置と、通信網と通信するための送信機および受信機とを含む移動通信端末であって、請求項１〜５に記載の方法を実行するように構成されていることを特徴とする移動通信端末。
【請求項７】
移動通信端末の処理装置によって実行される、記憶媒体またはメモリに記録された、あるいは伝搬信号で搬送されるコンピュータプログラムであって、移動通信端末による該プログラムの実行時に、請求項１〜６のいずれかに記載の方法を実行するように構成されている一組の命令を含むことを特徴とするコンピュータプログラム。
【発明の詳細な説明】
【技術分野】
【０００１】
本発明は、カメラ付き電話で生成された画像に、当該電話に対応するセルラーネットワークからのロケーション情報を利用して場所名の注釈を付ける方法に関する。
【背景技術】
【０００２】
セルラーネットワークには、加入者にアドレスして、ネットワーク情報を提供するロケーションレジスタが含まれる。携帯電話は、そのネットワークからロケーションを示すものを取り込むことができる。こうして、カメラ付き電話（デジタルカメラを備える携帯電話）が、意味のある場所名をその画像に自動的に加えることができる。
【０００３】
昨年、カメラ使用可能な電話市場は大きな成長を遂げ、世界中の電話機の１５％が内蔵カメラ付きの電話機であるか、指定のカメラを付属品としている電話機であった。ＡＲＣグループ（ＡＲＣ  Ｇｒｏｕｐ）の将来的携帯電話機に関する研究によれば、２００５年までに、全世界のカメラ機能付き電話機が出荷数は１億３０００万台にのぼると予測され、この数は第３世代携帯電話の登場によってさらに押し上げられて、２００８年までに２億１０００万台に達すると見込まれている。全体的には、アジア太平洋地域が先導役となり続けるであろうが、欧州が引き続きモバイルメッセージングサービスに取り組むことによって市場シェアを改善することが見込まれる。
【０００４】
カメラ内蔵型携帯電話が、デジタルカメラの売上をも凌いで市場に浸透するに伴い、この成長を利用した新しいサービスやアプリケーションを提供する機会が生まれるであろう。
【０００５】
現在、携帯電話かデジタルカメラでデジタル画像が撮影されると、画像ファイルは、ユーザにとって何の意味もない、”ＤＳＣ００００１”といった非説明的な名前を付してローカルメモリに記憶される。画像ファイルのプロパティにはタイムスタンプが付与されるが、どこで画像が撮影された場所を示すものはない。通常、画像ファイルのプロパティは、デジタルスチルカメラで使用されている事実上の標準ファイル形式であるＥＸＩＦ形式（Ｅｘｃｈａｎｇｅａｂｌｅ  ｉｍａｇｅ  ｆｉｌｅ  ｆｏｒｍａｔ  ｆｏｒ  Ｄｉｇｉｔａｌ  Ｓｔｉｌｌ  Ｃａｍｅｒａ）である。
【０００６】
従って、（一部の電話において）画像ファイルを記憶するために異なるフォルダを作成する以外、画像ファイルを整理する手段がない。デジタル画像を整理する通常の方法は、場所と時間／日付によるものである。「いつ／どこで」等の情報も、電子メールやＭＭＳの画像に続くメッセージの重要な部分である。
【０００７】
これまでにもいくつかの技術を使用して、画像に地理情報を加えることが行われてきた。これらの技術のほとんどが、ＧＰＳシステム等の補助的な装置の使用を要するものである。
【０００８】
地理的データは、多くのアプリケーションに関連し得る。一連のタグが、ＧＰＳ情報（ＧＰＳ  ＩＦＤ）をＥＸＩＦ２．１画像属性情報に記録するように規定された。ＧＰＳ  ＩＦＤを使用すると、その後、画像を画像地図上の位置と関連付けたり、あるいは意味のある場所名にマッピングしたりすることが可能となる。ロケーション名専用のタグはない。ＥＸＩＦ  ＩＦＤ属性情報（ＥＸＩＦ  ＩＦＤ  Ａｔｔｒｉｂｕｔｅ  Ｉｎｆｏｒｍａｔｉｏｎ）においては、「ユーザコメント」や「メーカーノート（ＭａｋｅｒＮｏｔｅ）」等のタグを使用することができるが、ファイル名を使用することにより、その名をユーザに見えるようにすることができる。
【０００９】
「イーサＧＰＳ（ｅｔｈｅｒ  ＧＰＳ）」（マサチューセッツ工科大学メディアラボ（ＭＩＴ  Ｍｅｄｉａ  Ｌａｂ）のプロジェクト）においては、ＧＰＳタグを使用して、ＭｅｔａＣａｒｔａ内にある意味のある場所名を検索することを行っている。ＭｅｔａＣａｒｔａとは、ホームページをその緯度と経度によって索引付けするデータベースである。このプロジェクトでは、ＧＰＳ受信機内蔵のカメラ付き電話を使用し、画像の内容を示す”fenway_park.jpg”や”baseball.jpg”等、意味のある名前を画像に付与する計画を提案している。
【００１０】
この提案によると、ユーザが画像を撮影するロケーションに基づいて適切なファイル名を画像に与えるために、「イーサＧＰＳ」はＭｅｔａＣａｒｔａを使用するが、ＭｅｔａＣａｒｔａは基本的にＧＰＳエンジンによって返されるロケーションのアドレスを含むホームページ全てを検索し、これらのページで最も一般的に使用されている単語（例えば「野球」）を探す。この方法は、端末が、索引として固有のＧＰＳ測位を利用して、ファイル名に意味を与える情報のある関連ホームページを見つけると仮定している。この方法は、関連する地理的情報を含む、そのロケーションに特有のホームページを数多く利用できる国においては有用であろうが、インターネットに同じだけの情報が公開されていない国においては、同様の結果が保証されないと思われる。ＧＰＳ内蔵型の携帯電話もあるにはあるが、大量市場に採用される見通しは低い。電話にＧＰＳ装置を搭載した場合、価格、物理的な大きさおよびバッテリー消費が増大する。同時に、セルラーネットワーク内にある電話機の位置を突き止めるための新しい方法が改良されている。
【００１１】
ＧＰＳは、衛星信号を遮る木や高いビルの無い、景観が開けた所で使用するのが適している。これにより、ＧＰＳ技術は、画像の撮影が行われるほとんどの状況での使用に適さないことになる。
【００１２】
特許文献１には、データ通信システムからイメージと関連づけられたイメージデータをユーザ機器で受信し、該イメージに関連して提示されるべき視覚効果を生じることを含む、イメージ表示方法が記載されている。主眼は、コンテクストデータに基づく視覚効果にある。該特許文献１では、イメージの重要度から、情動的感情、ロケーションまで、２１種類のコンテクストデータについて記載しており、これらを基礎として受信側の移動通信端末において視覚効果が生み出される。また、この特許文献１には、どのようにしてロケーション情報を、セルラーネットワークによって提供されるロケーション情報サービス（ｌｏｃａｔｉｏｎ  ｓｅｒｖｉｃｅ）、またはＧＰＳ端末から取り込むことができるかについても記載されている。しかしながら、該特許文献１では、位置データの形式、画像にロケーション情報を追記する方法、イメージを記憶する方法については、詳細に述べられていない。また、適用領域も異なる。
【００１３】
【特許文献１】米国特許出願公開第２００２／０１１３７５７Ａ１号
【発明の開示】
【発明が解決しようとする課題】
【００１４】
本発明の主目的は、携帯電話のカメラで撮影された画像に意味のあるファイル名を自動的に与えることである。ファイル名は、画像が撮影されたロケーションを記載する。本発明は、画像を整理する方法、あるいはデジタルポストカード（ＭＭＳ）用のテンプレートを作成する方法も含む。
【課題を解決するための手段】
【００１５】
この目的を達成するために、セルラーネットワークによって提供されるロケーション情報を使用して、既存のファイル名を変更するか、新しいファイル名を作成する。
【００１６】
それゆえ本発明は、メモリと、通信網を介して位置確認サービスに接続するための送信機および受信機とを備える移動通信端末に具備されるデジタルカメラを用いて取得されたデジタル画像を、画像が撮影された地理的位置を示す情報を含む説明的なファイル名を付して記憶する方法を含み、本発明の方法は以下のステップ：
該通信端末が、該位置確認サービスからのロケーション情報を要求するステップと、
該通信端末が、該位置確認サービスからロケーション情報を受信するステップと、
該通信端末が画像を取得するステップと、
該通信端末が、前記ロケーション情報に基づいてファイル名を作成するステップと、
前記ファイル名が該画像に割当てられるステップと、
前記画像が、前記ファイル名を付して該通信端末に記憶されるステップと、
を含む。
【００１７】
本願において、用語「画像」は、移動体通信装置によって取得されたデジタルイメージデータを称するのに使用する。当業者には容易に理解されるように、本発明は、移動通信装置によって取得されたビデオシーケンスやスキャンしたイメージ等の他の種類のデジタルイメージデータにも適用することができる。
【００１８】
本発明によって得られたファイル名は、画像が撮影されたロケーションの表示を含む。
【００１９】
画像の整理には、画像の内容を示すファイル名の方が適している。場所名が、デジタルポストカード、例えばＭＭＳテンプレートの件名フィールドに含まれてもよい。
【００２０】
一実施の形態において、本発明は、画像撮影ロケーションを関連する地域の地図と組み合わせることによって、ユーザが、地図をナビゲートしてクリックすることによって画像にアクセスできるようにすることを含む。
【００２１】
本発明は、上述の方法の実施用に構成された移動通信端末、および移動通信端末が上述の方法を実行できるようにするコンピュータプログラムも含む。
【００２２】
本発明によると、画像は自動的に説明的なファイル名を付けて記憶され、随意的に、画像を送信するためにロケーションに特有のＭＭＳテンプレートを使用する。
【００２３】
ロケーション情報は、特殊な装置によって解釈される信号とは無関係に提供されるので、本発明の方法によって提供されるサービスがますます市場に浸透していくものと期待される。
【００２４】
本発明は、画像に分かりやすい名前を与え、かつ、日記やフォルダの形式で（例えばノルウェー（Ｎｏｒｗａｙ）→オスロ（Ｏｓｌｏ）→フログネル公園（Ｆｒｏｇｎｅｒ−Ｐａｒｋ）と言うように）、電話の内部メモリ、あるいは外部に画像を保存することによって、ユーザに対して画像の保存と管理を容易にする。
【００２５】
本発明による方法によって提供される精度は、通信網に関連する定義済みのデータベースと直接関連するが、インターネット上で公開されている情報量には依存しない。ユーザは、ユーザのロケーションを最もよく表すものを選択することによって、ロケーションの精度をさらに高める可能性を有するのである。
【００２６】
精度が通常５〜１０メートル以内であるＧＰＳとは異なり、携帯電話機から測定される位置は変動する場合があり、多くの場合、対応する無線基地局のエリア範囲に限定されている。それでも、ノルウェーのドランメン（Ｄｒａｍｍｅｎ）等、関係する場所名を見つけるのには十分である。セルラーネットワーク内で電話機の位置を特定する新しい方法によって、今後精度が向上していくであろう。
【００２７】
本発明は、ユーザの画像ファイルの保存および取り扱いを容易にすることによって、ユーザの問題を解決するものである。
【００２８】
運営者は、付加価値サービス（Ｖａｌｕｅ  Ａｄｄｅｄ  Ｓｅｒｖｉｃｅ）の提供によって恩恵を受けることができる。現在、運営者は、ユーザが画像をネットワーク上のアルバムに保存するのを助けることができる。「インテリジェント（Ｉｎｔｅｌｌｉｇｅｎｔ）」な保存・整理は、ウェブ上のアルバムサービスの一部となりうるものである。時間とロケーションに基づく一定の方法で画像が保存される場合、運営者は、ウェブサイト上でコンテクストベースのサービスを開発することができる。アルバムの画像をブラウジングすることを引き金として、同じ地域からの他の画像、およびホテルや航空券のオファーを表示させることも可能である。
【００２９】
職業的な分野においても、デジタル画像はまた、日常生活の重要な部分になってきている。自動的に日時／場所が作成されるＭＭＳが、不動産取得の開始プロセスにおいて不動産業者の役に立つかもしれない。地理的タグ付き画像は、距離検査や旅行業従事者に有用であると思われる。
【発明を実施するための最良の形態】
【００３０】
図面を参照して、本発明についてさらに詳しく説明する。
【００３１】
図１は、通信網、例えばＧＰＲＳ機能を有するＧＳＭネットワーク１８０を介して基地局１９０に接続される移動通信端末１００、好ましくは内臓カメラ１６５を備える携帯電話を示す。基地局１９０は、ＳＭＳＣ（ショートメッセージサービスセンター（Ｓｈｏｒｔ  Ｍｅｓｓａｇｅ  Ｓｅｒｖｉｃｅ  Ｃｅｎｔｅｒ））１９５に接続され、次に、コンテンツプロバイダサーバ１９８にさらに接続されるＣＰＡ（コンテンツプロバイダアクセス（Ｃｏｎｔｅｎｔ  Ｐｒｏｖｉｄｅｒ  Ａｃｃｅｓｓ））１９７に、接続される。これらの装置は、位置確認サービスを提供する。移動通信端末１００は、表示部１１０と、メモリ１２０と、入力手段１３０（例えば、解除ボタン、キーボード、マウス）と、送信部１４０と、受信部１５０と、メインボード１６０と、カメラ１６５と、アンテナ１７０とを備える。移動通信端末１００は、図示の本発明実施の形態において携帯電話として実施されているため、上記の要素に加えて、標準的な携帯電話に見られる全てのハードウェアも備えている。メモリ１２０は、ソフトウェア、すなわち、本発明により移動通信端末１００を動作させる命令を含む。
【００３２】
上述のように、本発明の方法は、記憶媒体に記録されるか、メモリ、例えばメモリ１２０に記憶されるコンピュータプログラムによって実行されるのが好ましい。移動通信端末１００はまた、本発明の方法を実施する専用ハードウェアを装備してもよい。コンピュータプログラムによって本発明方法を実行する場合、伝搬信号によってプログラムを伝え、本発明方法を実施可能な移動通信端末にダウンロードすることができる。
【００３３】
図２は、本発明による方法に含まれる各ステップを説明するフローチャートである。一般的に言うと、本発明による方法は、ロケーション情報を提供することと、画像を提供することと、ロケーション情報および場合によりユーザ入力に基づいて前記画像のファイル名を作成することと、前記画像を前記ファイル名を付けてカタログに保存することとを含む。
【００３４】
この方法は、移動通信端末がトリガ信号を受信する（ステップ２１０）と開始する。この信号は、通信装置が作動される（携帯電話のスイッチが入れられる）と自動的に与えられるようにしても良いし、入力手段１３０（例えば解除ボタン）を介してユーザが手動で与えるようにしても良い。
【００３５】
ステップ２２０において、通信端末１００が、通信網を経由して位置確認サービスからロケーション情報を要求する。位置確認サービスは、前述のように、他にも装置はあるが、コンテンツプロバイダサーバ１９８、および基地局１９０を含む。基地局１９０は、この時点で移動通信端末１００に動作可能に接続されている。
【００３６】
通信端末１００と位置確認サービス間の接続は、ＧＰＲＳ機能を有するＧＳＭネットワーク１８０を介して行うことができるが、この種のネットワークに限定されるものではない。ステップ２２０において、移動通信端末１００からＳＭＳＣ（ショートメッセージサービスセンター）１９５を介してＣＰＡ（コンテンツプロバイダアクセス）１９７へメッセージが送られ、コンテンツプロバイダサーバ１９８へ転送される。コンテンツプロバイダサーバ１９８は、ＣＰＡ１９７にユーザの地理的測位を要求する。ＣＰＡ１９７に動作可能に接続された測位サービスが移動通信端末１００を追跡し、例えば緯度／経度、郡、地域、および市町村を示す地理データをＣＰＡ１９７に返送する。ＣＰＡ１９７は、測位サービスからの情報をコンテンツプロバイダサーバ１９８へ転送する。コンテンツプロバイダサーバ１９８は、位置データを受信し、可能性のあるロケーション名を見つけ、メッセージに名前を付した後、ロケーション情報をＣＰＡ１９７へ返信する。明確を期するため、通信端末からの要求の受信とロケーション情報の提供に必要な各装置（１９０、１９５、１９７、１９８）およびソフトウェアは、一括して「位置確認サービス」として示す。
【００３７】
ステップ２３０において、移動通信端末は、位置確認サービスからロケーション情報を受信する。前記ロケーション情報は、関連するロケーション名を複数個含むことがある。
【００３８】
ステップ２４０において、カメラ１６５と移動通信端末１００の入力手段（例えば解除ボタン）によって画像を取得する。
【００３９】
ステップ２５０において、ロケーション名を１つ以上含む、ステップ２３０で取得されたロケーション情報が、表示部１１０上でユーザに提示される。
【００４０】
ステップ２６０において、入力手段１３０によって送信されたユーザ入力が受信される。ロケーション名が２つ以上提示される場合、ユーザ入力は、表示部１１０に提示された選択肢の１つ（または複数）を選択することを含む。
【００４１】
ステップ２７０において、ステップ２６０において受信したユーザからの入力に基づいてファイル名が作成される。前記ファイル名は、ユーザ入力とロケーション情報に基づいて作成される。
【００４２】
ステップ２８０において、ステップ２４０で取得した画像が、移動通信端末１００のメモリ１２０に関連するロケーション名と共に記憶される。ファイル名は、他の情報、例えば時間や日付を含むこともある。カタログ構造に画像を記憶できる移動通信端末１００の場合には、画像を、ロケーション名および／またはファイル名に基づいて自動的に画像に割当てられるカタログに記憶することができる。このようにして、同じロケーションからの画像は図６に示されるように、同じカタログに記憶される。
【００４３】
以上、本発明による方法について、画像を取得する前にロケーション情報を取得することを含むと説明してきたが、これらのステップの順番を変更すること、すなわち、カメラ１６５と入力手段１３０によって画像を取得した後に、ロケーション情報を要求し、受信することも可能である。
【００４４】
図３は、移動通信端末と位置確認サービスとの間のデータの流れ（図２におけるステップ２２０および２３０）を、ノルウェー国オスロのフログネル公園（Ｆｒｏｇｎｅｒｐａｒｋｅｎ）で撮影された画像とともに示す。画像には、ロケーションの注釈が付加されている。
【００４５】
図４は、本発明による方法を詳細例によって示す。上述のように、本発明の方法は、メモリ１２０（図１）に記憶されたコンピュータプログラムによって実行される。
【００４６】
ステップ３１０において、移動通信端末１００が入力手段１３０からトリガ信号を受信する。
【００４７】
ステップ３２０において、設定ファイルから最後のロケーションストリングが読取られる。このストリングは、メモリ１２０に記憶された起動設定としても良いし、先の該方法の実行で獲得されたロケーションストリングとしても良い。
【００４８】
ステップ３３０において、カメラアプリケーションを開始する。
【００４９】
ステップ３４０において、新しいロケーションを読取る必要があるかどうかに関するユーザ入力が入力手段１３０を介して受信される。ユーザが、ステップ３２０で読取られた最後のロケーションストリングに対応するロケーションにいる場合、新しいロケーションを読取る必要はない。ユーザが、最後のロケーションストリングにあるのとは異なるロケーションにいる場合、ロケーション名取得プロセスを開始する必要がある。本発明の一実施の形態においては、最後のロケーションストリングが表示部１１０によって提示されて、ユーザからの入力が要求される。
【００５０】
新しいロケーションを読取る必要がない場合には、プロセスはステップ３５０に進み、（カメラ１６５と場合により入力手段１３０によって）画像の取得が行われる。
【００５１】
ステップ３６０において、一時的ファイル名を作成する（これについては、図５に詳細に示す）。
【００５２】
ステップ３７０において、一時的ファイル名表示部１１０に表示され、ユーザ入力が要求される。
【００５３】
ステップ３８０において、一時的ファイル名の受諾の可否（ステップ３９０）、画像を廃棄するかどうか（ステップ５１０）、画像名を編集するかどうか（ステップ４７０）に関するユーザ入力が受信される。
【００５４】
一時的ファイル名を受諾する場合（ステップ３９０）、名前ストリング（ファイル名を含むか、ファイル名に基づく）が画像に割当てられる。プロセスはステップ４００に進んで、画像をＪＰＧ形式に変換する（ステップ４００）。
【００５５】
ステップ５２０において、画像は受諾されたファイル名と共に記憶される。
【００５６】
ステップ３８０において画像が廃棄される場合（ステップ５１０）、プロセスはステップ３４０に進み、新しいロケーションを読取るかどうかに関する入力を受信する。
【００５７】
一時的ファイル名の編集を行う場合、ステップ４７０においてユーザ入力が受信される。
【００５８】
ステップ４８０において、ファイル名が既に存在するかどうかの確認が行われる。
【００５９】
存在する場合、エラーメッセージが（場合により）表示部１１０に表示され、プロセスは、一時的ファイル名の編集（ステップ４７０）に戻る。
【００６０】
存在しない場合、ファイル名を含むか、ファイル名に基づく新しい名前ストリングが、メモリに記憶され（ステップ４９０）、次いで設定ファイルに記憶される（ステップ５００）。このプロセスの後、ステップ３９０に進む。
【００６１】
新しいロケーションを読取る必要がある場合（決定ステップ３４０）、ステップ４１０において、移動通信端末１００は位置確認サービスへ要求を送信する。本発明のこの特定の実施の形態においては、前記要求はＳＭＳ形式である。
【００６２】
ステップ４２０において、移動通信端末は位置確認サービスからの応答を待つ。
【００６３】
ステップ４３０において、移動通信端末において応答が受信されると、ＳＭＳ本文のストリングを解析して新しい名前ストリングが作成される。
【００６４】
新しい名前ストリングは、ステップ４４０においてメモリに、ステップ４５０において設定ファイルに記憶される。
【００６５】
ステップ４６０において、現在のロケーションが表示部１１０に表示される。ここから、プロセスはステップ３５０に進む。
【００６６】
図５は、「一時的有効名の作成」のステップ３６０をより詳細に示す図である。ステップ３６１において、名前ストリングにインデックス０が付加されて、新しいファイル名ストリングが作成される。ステップ３６２において、ステップ３６１で作成されたファイル名（または名前ストリング）が既に存在しているかどうかについての管理が行われる。存在する場合、インデックスが１だけ増分されて（ステップ３６３）、プロセスはステップ３６１に戻る。
【００６７】
図６は、ロケーション情報に基づく画像記憶用のフォルダ構造を示す。本発明は、移動通信端末のメモリへの画像の記憶方法に関するものであるが、この方法は、これらの画像を個人ウェブサイトに外部記憶させるところまで拡大して適用することができる。この場合、フォルダ構造がウェブサイトに複製されて、図４に示されるのと同じ順番で画像ファイルが記憶される。
【００６８】
図７は、通信網で提供されたロケーション情報を含むデジタルポストカードを、移動通信端末で自動的に作成するためのＸＭＬコードを示す。
【００６９】
本発明の方法は、ＲＦＩＤ技術を取り入れることによって、さらに機能強化することができる。ＲＦＩＤリーダーを備える携帯電話が普及すると、ＲＦＩＤタグによってユーザのロケーションの精度を高めることができる。この場合、移動通信端末はＲＦＩＤレシーバを備えることになろう。そうするとユーザは、特定のロケーションにあるタグを読取ることができ、ＩＤ番号はロケーションだけでなく、特定の対象物やエリアも特定することになる。
【図面の簡単な説明】
【００７０】
【図１】本発明の方法および相互間の接続を可能にする各装置を示す。
【図２】本発明の実施の形態を示すフローチャートである。
【図３】移動通信端末と基地局との間のデータの流れを示す。
【図４】本発明の詳細な実施の形態を示すフローチャートである。
【図５】本発明の詳細な実施の形態を示すフローチャートである。
【図６】本発明の実施の形態による地理情報に基づく画像記憶用のフォルダ構造を示す。
【図７】自動的に作成されたデジタルポストカードを示す。
【符号の説明】
【００７１】
１００  移動通信端末
１１０  表示部
１２０  メモリ
１３０  入力手段
１４０  送信部
１５０  受信部
１６０  メインボード
１６５  カメラ
１７０  アンテナ
１８０  ＧＳＭネットワーク
１９０  基地局
１９７  ＣＰＡ（コンテンツプロバイダアクセス）
１９８  コンテンツプロバイダサーバ
【図１】
2008512933.tif 000003
【図２】
2008512933.tif 000004
【図３】
2008512933.tif 000005
【図４】
2008512933.tif 000006
【図５】
2008512933.tif 000007
【図６】
2008512933.tif 000008
【図７】
2008512933.tif 000009
【国際調査報告】
2008512933.tif 000010
2008512933.tif 000011
2008512933.tif 000012